(57)【要約】【課題】有償コンテンツ（対象情報）の属性情報を一意に識別できる識別番号の割り当てや、各システムへの有償コンテンツの識別番号や属性情報の登録の作業を軽減する。また、同一の有償コンテンツに重複して有償コンテンツ識別番号を割り当てることなく有償コンテンツ識別番号の登録ができる対象情報管理装置及びその管理方法を提供することを目的としている。【解決手段】データ入出力部１１が端末２もしくは各システムＡ〜Ｄに提示する有償コンテンツ属性情報入力画面から操作担当者が入力した有償情報毎の属性情報を登録データとして受付ける。そして、コンテンツＩＤ割り当て部１２が有償情報毎の属性情報を一意に識別できるコンテンツＩＤを割り当てる。また属性情報検索・変更部１３が外部から入力された検索指示に基づいてコンテンツ関連情報ＤＢ１４に保持している属性情報を端末や各システムＡ〜Ｄに出力する。【選択図】　図１
2004013279.tif 000002
【特許請求の範囲】
【請求項１】
対象情報毎に複数の属性情報を受付けるデータ入出力部と、
前記データ入出力部で受付けた前記対象情報の複数の属性情報が一意に識別できる対象情報識別番号を割り当てる対象情報識別番号割り当て部と、
前記対象情報識別番号を前記属性情報として共に記憶するデータベースと、
を備えることを特徴とする対象情報管理装置。
【請求項２】
前記データ入出力部で受付ける検索指示に基づいて、前記データベースで記憶する前記属性情報を検索する属性情報検索部を備えることを特徴とする請求項１に記載の対象情報管理装置。
【請求項３】
前記データ入出力部は請求項２に記載の属性情報検索部が検索した前記属性情報を出力する事を特徴とする請求項１に記載の対象情報管理装置。
【請求項４】
前記データ入出力部で受付ける変更指示に従って、前記データベースで記憶する前記属性情報を変更する属性情報変更部を備える事を特徴とする請求項１に記載の対象情報管理装置。
【請求項５】
前記データ入出力部は請求項４に記載の属性情報変更部が変更した前記属性情報を出力する事を特徴とする請求項１に記載の対象情報管理装置。
【請求項６】
データ入出力部が対象情報毎の複数の属性情報を受付けるデータ入出力過程と、
対象情報識別番号割り当て部が前記対象情報毎の複数の属性情報を一意に識別できる対象情報識別番号を割り当てる対象情報識別番号割り当て過程と、
前記対象情報識別番号を前記属性情報として共にデータベースに記録するデータベース記録過程と、
を備えることを特徴とする対象情報の管理方法。
【請求項７】
前記データ入出力部で受付ける検索指示に基づいて、前記データベースで記憶する前記属性情報を検索する検索過程を備えることを特徴とする請求項６に記載の対象情報の管理方法。
【請求項８】
前記データ入出力部は請求項７に記載の検索過程において検索した前記属性情報を出力する事を特徴とする請求項６に記載の対象情報の管理方法。
【請求項９】
前記データ入出力部で受付ける変更指示に従って、前記データベースで記憶する前記属性情報を変更する属性情報変更過程を備える事を特徴とする請求項１に記載の対象情報の管理方法。
【請求項１０】
前記データ入出力部は請求項９に記載の属性情報変更過程において変更した前記属性情報を出力する事を特徴とする請求項６に記載の対象情報の管理方法。
【発明の詳細な説明】
【０００１】
【発明の属する技術分野】
この発明は、コンピュータシステムに係り、特に、対象情報管理装置及びその管理方法に関するものである。
【０００２】
【従来の技術】
有償情報流通者は、有償コンテンツ（対象情報）をネットワーク経由でユーザに提供する有償情報配信サービスを行っており、有償コンテンツを管理するにあたり、例えば、コンテンツＩＤなどの識別番号を用いて有償コンテンツを識別、管理している。ここで、有償情報流通者は有償情報配信サービスの業務に必要な会計処理や他の様々な業務の管理を行うシステムを扱っている。そして、その複数のシステムに渡って、同一の有償コンテンツについての処理を行うので、その際に、上述のコンテンツＩＤなどの識別番号が用いられ、一つの有償コンテンツに対して各システム共通に識別番号を登録している。
また、各システムには識別番号だけでなく、有償情報の属性情報も登録している。この様に識別番号を用いることで有償情報とその各属性情報を対応させて有償情報の管理を行っている。
【０００３】
【発明が解決しようとする課題】
しかしながら、上述の識別番号を用いて、有償コンテンツやその属性情報を識別する場合には、例えば、有償コンテンツの数量が多い場合には、各有償コンテンツに対して有償コンテンツ識別番号をそれぞれ割り当てる作業や、上述の各システムへの有償コンテンツ識別番号の登録作業処理が増えるために、それらの作業が大変となり、また、煩雑となるので間違いが生じる場合があった。
また、有償コンテンツ識別番号が重複して同一の有償コンテンツに割り当てられてしまう場合や、複数のシステムにおいて同一の有償コンテンツを扱うにもかかわらず、各システムにおいてその有償コンテンツに対する有償コンテンツ識別番号が異なって設定されてしまう場合などがあった。
そこでこの発明は、大量の有償コンテンツに対する有償コンテンツ識別番号の割り当て作業と、各システムへの有償コンテンツ識別番号の登録作業が軽減でき、また、同一の有償コンテンツに重複して有償コンテンツ識別番号を割り当てることなく、そして、複数のシステムにおいて統一された有償コンテンツ識別番号の設定が可能となる対象情報管理装置及びその管理方法を提供することを目的としている。
【０００４】
【課題を解決するための手段】
本発明は、上述の課題を解決すべくなされたもので、請求項１に記載の発明は、対象情報毎に複数の属性情報を受付けるデータ入出力部と、前記データ入出力部で受付けた前記対象情報の複数の属性情報が一意に識別できる対象情報識別番号を割り当てる対象情報識別番号割り当て部と、前記対象情報識別番号を前記属性情報として共に記憶するデータベースとを備えることを特徴とする対象情報管理装置。
【０００５】
また、請求項２に記載の発明は、前記データ入出力部で受付ける検索指示に基づいて、前記データベースで記憶する前記属性情報を検索する属性情報検索部を備えることを特徴とする。
【０００６】
また、請求項３に記載の発明は、前記データ入出力部が請求項２に記載の属性情報検索部の検索した前記属性情報を出力する事を特徴とする。
【０００７】
また、請求項４に記載の発明は、前記データ入出力部で受付ける変更指示に従って、前記データベースで記憶する前記属性情報を変更する属性情報変更部を備える事を特徴とする。
【０００８】
また、請求項５に記載の発明は、前記データ入出力部が請求項４に記載の属性情報変更部の変更した前記属性情報を出力する事を特徴とする。
【０００９】
また、請求項６に記載の発明は、データ入出力部が対象情報毎の複数の属性情報を受付けるデータ入出力過程と、対象情報識別番号割り当て部が前記対象情報毎の複数の属性情報を一意に識別できる対象情報識別番号を割り当てる対象情報識別番号割り当て過程と、前記対象情報識別番号を前記属性情報として共にデータベースに記録するデータベース記録過程とを備えることを特徴とする対象情報の管理方法である。
【００１０】
また、請求項７に記載の発明は、請求項６に記載の対象情報の管理方法において、前記データ入出力部で受付ける検索指示に基づいて、前記データベースで記憶する前記属性情報を検索する検索過程を備えることを特徴とする。
【００１１】
また、請求項８に記載の発明は、前記データ入出力部が請求項７に記載の検索過程において検索した前記属性情報を出力する事を特徴とする。
【００１２】
また、請求項９に記載の発明は、請求項６に記載の対象情報の管理方法において、前記データ入出力部で受付ける変更指示に従って、前記データベースで記憶する前記属性情報を変更する属性情報変更過程を備える事を特徴とする。
【００１３】
また、請求項１０に記載の発明は、前記データ入出力部が請求項９に記載の属性情報変更過程において変更した前記属性情報を出力する事を特徴とする。
【００１４】
【発明の実施の形態】
以下、本発明の一実施形態による対象情報管理装置を図面を参照して説明する。
図１は、この発明の一実施形態による対象情報管理装置の構成を示す概略ブロック図である。この図において１は対象情報管理装置である。２は対象情報管理装置１を直に操作できる端末である。またＡ、Ｂ、Ｃ、Ｄは対象情報管理装置１と通信ネットワークを介して接続された各システムである。１１は外部とのデータ入出力を受け持つデータ入出力部である。１２は有償コンテンツ毎の属性情報に統一のコンテンツＩＤ（対象情報識別番号）を割り当てるコンテンツＩＤ割り当て部（対象情報識別番号割り当て部）である。１３はコンテンツ関連情報ＤＢ（データベース）に保持する属性情報やコンテンツＩＤを検索する属性情報検索・変更部（属性情報検索部及び属性情報変更部）である。１４は有償情報の属性情報やそのコンテンツＩＤを記憶するコンテンツ関連情報ＤＢである。
【００１５】
ここで対象情報管理装置１と端末２とシステムＡ〜Ｄは有償情報流通者によって管理されている。そして、有償情報流通者はコンテンツの提供主であるコンテンツプロバイダからの依頼を受けてインターネット上でコンテンツを有償で配信する有償コンテンツ配信サービスを行っている。また、有償情報流通者は有償コンテンツを配信するにあたり、例えば、ＩＳＰ（Ｉｎｔｅｒｎｅｔ　Ｓｅｒｖｉｃｅ　Ｐｒｏｖｉｄｅｒ）やポータルサイトなどに有償コンテンツの広告を掲載するよう依頼している。そして有償コンテンツを購入するユーザはＩＳＰやポータルサイトにアクセスして有償コンテンツの広告をクリックして認証を受け、更に有償コンテンツにアクセスするためのアクセスキーをＩＳＰやポータルサイトから受取ることで、有償情報流通者が管理・保持している有償コンテンツへのアクセスや、その購入ができる。
【００１６】
有償情報流通者は有償コンテンツ配信サービスを行う上で、例えば、有償コンテンツをいつＩＳＰやポータルサイトの開設するＷｅｂサイトへ掲載するのかを管理するスケジュール管理システムや、月次の会計処理を実施する会計処理システムや、有償コンテンツの販売状況や販売実績を表示するシステムなどの、業務上必要となる多くのシステムを運用している。システムＡ〜Ｄはそれらのシステムを表したものである。
【００１７】
システムＡ〜Ｄで処理される情報の項目の多くは、各システムで共通のものである。例えば、上記情報の項目は、有償コンテンツを識別する有償コンテンツＩＤ、有償コンテンツの提供をした有償情報提供者（コンテンツプロバイダ）、有償コンテンツの広告を掲載しているＩＳＰ、有償コンテンツにアクセスするためのＵＲＬ、有償コンテンツの価格、また有償コンテンツの課金種別などである。課金種別は、アクセスの度に料金が発生する件数課金や、一定期間（例えば、１週間、１ヶ月間など回数に関係なく自由にアクセスを許す期間課金など）の別を示す。
【００１８】
尚、図１に示した対象情報管理装置１の各処理部は、専用のハードウェアにより実現されるものであってもよく、また、各処理部はメモリおよびＣＰＵ（中央演算装置）により構成され、各処理部の機能を実現する為のプログラムをメモリにロードして実行することによりその機能を実現させるものであってもよい。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ　Ａｃｃｅｓｓ　Ｍｅｍｏｒｙ）のような揮発性のメモリ、あるいはこれらの組み合わせによるコンピュータ読み取り、書き込み可能な記録媒体より構成されるものとする。
【００１９】
次に、上述した対象情報管理装置の動作を図１〜図３を参照しながら詳細に説明する。
まず、対象情報管理装置１のデータ入出力部１１により、端末２には初期画面（図２）が常時提示されている。対象情報管理装置１の操作担当者が端末２の初期画面から「有償コンテンツ属性情報入力」をクリックすると、対象情報管理装置１のデータ入出力部１１は有償コンテンツ属性情報入力画面（図３）を端末２に提示する。有償コンテンツ属性情報入力画面には有償コンテンツ毎の属性情報を入力する欄があり、属性情報を入力することによって複数の有償コンテンツの属性情報を一度に登録することができる。
【００２０】
次に、操作担当者が属性情報入力画面より複数の有償コンテンツに関する属性情報を入力する。入力欄は番号順に上から下へと有償コンテンツ毎にその有償コンテンツに関連する属性情報を入力するよう構成されており、操作担当者が有償コンテンツごとにその属性情報を入力していく。有償コンテンツ毎の属性情報の入力が済み操作担当者がＯＫボタンをクリックすると、入力した情報が登録データとして対象情報管理装置１に送信される。そして対象情報管理装置１のデータ入出力部１１が登録データを受信し、コンテンツＩＤ割り当て部１２に転送する。
【００２１】
コンテンツＩＤ割り当て部１２はデータ入出力部１１から転送を受けた登録データを解析して有償コンテンツ毎の属性情報に統一のコンテンツＩＤを割り振っていく。そしてコンテンツＩＤを割り振った後、コンテンツＩＤを、共に有償コンテンツ毎の属性情報としてコンテンツ関連情報ＤＢ１４に記録する。
【００２２】
また、対象情報管理装置１はコンテンツ関連ＤＢ１４に保持している有償コンテンツ毎の属性情報の検索や、それらの変更や削除を行うことができる。操作担当者が端末２の初期画面より「検索・変更・削除ボタン」をクリックすると、データ入出力部は有償コンテンツ関連情報指定画面（図４）を端末２に提示する。この有償コンテンツ関連情報指定画面においてはカテゴリ指定欄において、有償コンテンツの属性情報の指定ができる。そしてその詳細を入力することにより、他の属性情報を確認することができる。
【００２３】
また、操作担当者が有償コンテンツ関連情報指定画面において、カテゴリ指定を「コンテンツＩＤ」、カテゴリ詳細を「１０Ａ００００１」と入力し検索をクリックしたとする。すると、データ入出力部１１は端末２に検索結果画面（図５）を提示する。この検索結果画面においては、「コンテンツＩＤ」が「１０Ａ００００１」に対応する全ての属性情報が出力される。この検索結果画面において操作担当者は「変更」ボタンをクリックすることで属性情報の変更ができ、また「削除」ボタンをクリックすることにより表示された属性情報を削除することができる。上述の属性情報の検索や変更や削除は属性情報検索・変更部１３で行われる。
また、上述の実施形態はネットワークを介したシステムＡ〜Ｄからも同様に属性情報へのコンテンツＩＤの登録や、登録した属性情報の閲覧や削除を行うことができる。
【００２４】
また、図１において各種処理を行う処理部の機能を実現する為のプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。
【００２５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発メモリ（ＲＡＭ）のように、一定時間プログラムを保持しているものも含むものとする。
【００２６】
【発明の効果】
以上説明したように、請求項１及び請求項６の発明によれば、有償コンテンツ属性情報入力画面において操作担当者が有償コンテンツ毎に属性情報を入力し、そのデータを受付けた対象情報管理装置のコンテンツＩＤ割り当て部が有償コンテンツとその属性情報を一意に特定できるようにコンテンツＩＤを自動的に割り当てるので、大量の有償コンテンツに対する有償コンテンツ識別番号の割り当て作業を軽減することができる。
また、請求項２及び請求項７の発明によれば、データ入出力部が端末より検索指示を受付けてコンテンツ関連情報ＤＢに記憶する属性情報を属性情報検索・変更部が検索するので、これにより有償コンテンツ毎の属性情報とその有償コンテンツ識別番号を検索する事が出来る。
また、請求項３及び請求項８の発明によれば、属性情報検索・変更部が検索した有償コンテンツ毎の属性情報やその有償コンテンツ識別番号を出力する事が出来る。
また、請求項４及び請求項９の発明によれば、データ入出力部が端末より変更指示を受付けてコンテンツ関連情報ＤＢに記憶する属性情報を属性情報検索・変更部が変更するので、これにより有償コンテンツ毎の属性情報とその有償コンテンツ識別番号を変更することが出来る。
また、請求項５及び請求項１０の発明によれば、属性情報検索・変更部が変更した有償コンテンツ毎の属性情報やその有償コンテンツ識別番号を出力する事が出来る。
【図面の簡単な説明】
【図１】この発明の一実施形態による対象情報管理装置の構成を示す概略ブロック図である。
【図２】同実施形態において端末２に常時提示されている初期画面である。
【図３】同実施形態において端末２に提示される有償コンテンツ属性情報入力画面である。
【図４】同実施形態において端末２に提示される有償コンテンツ関連情報指定画面である。
【図５】同実施形態において端末２に提示される検索結果画面である。
【符号の説明】
１　対象情報管理装置
２　端末
１１　データ入出力部
１２　コンテンツＩＤ割り当て部
１３　属性情報検索・変更部
１４　コンテンツ関連情報ＤＢ
【図１】
2004013279.tif 000003
【図２】
2004013279.tif 000004
【図３】
2004013279.tif 000005
【図４】
2004013279.tif 000006
【図５】
2004013279.tif 000007